(57)【要約】本発明は、互いに接続可能で少なくとも１個のビデオカメラ（２）の収容体積を画定する第１（３）及び第２（４）の半殻を備える、監視ビデオカメラ（２）のケース（１）に関する。第１（３）及び第２（４）の半殻のうちの少なくとも一方はビデオカメラ（２）の前方に配置されるようになっている透明パネル（５）を備える。また、ケースは、ビデオカメラ（２）の保持デバイス（９）を備え、保持デバイス（２）は空気流生成手段（７）によって生成された空気流を透明パネル（５）に向けて運ぶダクト（８）を画定する。生成された空気流を加熱するための加熱手段（６）が設けられている。搬送ダクト（８）の少なくとも１個の断面は、好適には樹脂材料からなり、保持デバイス自体で画定された断熱壁を有する。また、本発明は、保護ケース中で使用する、ビデオカメラの保持デバイスに関する。
2015534118.tif 000002
【特許請求の範囲】
【請求項１】
監視ビデオカメラ（２）のケース（１）であって、
互いに接続可能で少なくとも１個のビデオカメラ（２）の収容体積を画定する第１（３）及び第２（４）の半殻であって、前記第１（３）及び第２（４）の半殻は、前記ビデオカメラ（２）の前方に配置されるようになっている透明パネル（５）を備える、第１（３）及び第２（４）の半殻と、
空気流生成手段（７）及び空気流を加熱する手段（６）と、
前記空気流を前記透明パネル（５）に向けて導くダクト（８）と、
前記ビデオカメラ（２）の保持デバイス（９）と
を備え、
前記保持デバイス（９）は、好ましくは樹脂材料である断熱材料からなる、前記ダクト（８）の少なくとも一部の周壁を画定することを特徴とする、監視ビデオカメラ（２）のケース（１）。
【請求項２】
前記保持デバイス（９）は、互いに接続可能であって、接続状態で以下のいずれかを画定する第１（９１）及び第２（９２）の本体部を備える、請求項１に記載のケース（１）、
−前記ビデオカメラ（２）を制御するための電子ユニット（１０）の第１のハウジング（９３）、
−前記空気流生成手段（７）の第２のハウジング（９４）、
−樹脂材料からなる周壁により画定される前記伝送ダクト（８）の前記部分。
【請求項３】
前記保持デバイス（９）は、前記流れを加熱する前記手段（６）を固定するための座部（９５）を備え、前記座部は、前記伝送ダクト（８）の前記周壁に近い前記第１の本体部（９１）上に設けられている、請求項２に記載のケース（１）。
【請求項４】
前記伝送ダクト（８）は前記空気流生成手段（７）のハウジング（９４）に臨む第１の開口と、前記透明パネル（５）に近接する第２の拡大された開口（８１）とを有する、前記請求項の１以上に記載のケース（１）。
【請求項５】
前記伝送ダクト（８）の前記第２の拡大された開口（８１）は、前記透明パネル（５）に均一に前記空気流を供給するための、前記伝送ダクトの内側の拡散フラップ（８２）を備える、請求項４に記載のケース（１）。
【請求項６】
前記第２の本体部（９１）は、前記第２の拡大された開口（８１）に、前記透明パネル（５）に対して傾斜した拡散フラップ（８３）を備える、請求項４又は請求項５に記載のケース（１）。
【請求項７】
前記保持デバイス（９）は、前記ビデオカメラ（２）の位置決め手段（１１）に調節可能に接続される少なくとも１個の溝孔（９７）を備える、前記ビデオカメラ（２）を固定するためのプレート（９６）を備える、前記請求項の１以上に記載のケース（１）。
【請求項８】
前記固定プレート（９６）は金属製であり、前記空気流を加熱する前記手段（６）に接触して配置される、請求項７に記載のケース（１）。
【請求項９】
保護ケース（１）中で使用されるビデオカメラ（２）の保持デバイス（９）であって、
本体であって、前記本体に対して異なる相対位置でビデオカメラを保持するための連結手段を備える本体と、
空気流生成手段（７）と、
前記空気流生成手段に対する給電及び／又は制御のための少なくとも１個の電気回路と
を備え、
前保持記デバイスの前記本体は、前記空気流生成手段のためのハウジング（９４）と、前記電気回路のためのハウジングとを備え、
前記本体は、互いに接続可能な第１の部分（９１）と第２の部分（９２）とを備え、
前記第１及び第２の本体部はいったん接続されると、空気流のための伝送ダクト（８）の少なくとも１部を画定するようになっており、前記ダクトは、好ましくは樹脂材料である断熱材料からなる周壁により画定され、
前記第１の端部は、前記空気流生成手段（７）のための前記ハウジング（９４）で開口し、
前記第２の端部は、前記本体自体の前記ハウジング（９４）とは反対側の前記本体の端部に臨む、保護ケース（１）中で使用されるビデオカメラ（２）の保持デバイス（９）。
【請求項１０】
加熱手段（６）と、前記加熱手段（６）を固定するための座部（９５）とを備え、前記座部（９５）は、前記伝送ダクト（８）の前記周壁の一部で、前記第１の本体部（９１）に設けられている、請求項９に記載のデバイス（９）。
【請求項１１】
ビデオカメラ（２）の位置決め手段（１１）を受け入れるようになっている溝孔（９７）を備える金属製の固定プレートを備え、前記空気流生成手段（７）によって生成された空気流が、前記加熱手段を通過して流れて前記固定プレートと接触するように、前記固定プレートは、前記加熱手段（６）に対し、少なくとも部分的に搭載され、あるいは接触している、請求項９又は請求項１０に記載の保持デバイス（９）。
【発明の詳細な説明】
【技術分野】
【０００１】
本発明は、請求項１の前段に係る監視ビデオカメラのケースの分野に関する。
【背景技術】
【０００２】
監視ビデオカメラの使用は大きく発展している分野であり、この分野では、ビデオカメラを容器ないしケースに収容することが知られており、容器ないしケースは、大気物質に対するビデオカメラの保護（特に、屋外ビデオカメラの場合）や、潜在的なタンパ行為に対するビデオカメラの保護のような種々の機能を達成する。
【０００３】
このため、そのようなケースは、金属製であることが多く、ビデオカメラが対象の領域を適切に監視できるように、ビデオカメラのレンズの前に配置された透明パネルを有する。
【０００４】
ペルコ社（PELCO Inc.）らの国際出願である国際公開第2010/030558号（特許文献１）に、このようなケースの一例が示されている。この例では、金属製のケースは、ビデオカメラが固定された旋回可能なプレート状の支持部を収容しており、ビデオカメラのレンズは前部透明プレートに臨んでいる。
【０００５】
これらの装置では、明らかに相反するニーズに関して、種々の欠点の解消を試みなければならない。つまり、一方では、ビデオカメラに対する電力供給及び／又は制御を管理するために電子基板を冷却する必要があり、他方では、水分を蒸発させるために透明パネルが適切に加熱されることを保証する必要があり（とりわけ低温環境の場合）、さもなければ、水分は透明パネル上で凝縮して透明パネルを曇らせ、監視を困難ない不可能にさえする。
【０００６】
低温環境下でケースに搭載する場合、ビデオカメラの適切な作動を保証するために、ビデオカメラ本体全体を加熱する必要があることを考慮しなければならない。
【０００７】
国際公開第2010/030558号に記載されたケースは、閉鎖可能な２個の金属製の半殻からなり、ビデオカメラはこれらの中の旋回する樹脂製の支持部上に配置される。
【０００８】
このようなケースは、後部位置に収容された加熱要素と、透明パネルに水分が付着しない状態を維持するように、加熱要素によって生成される温風を前方の透明パネルに向かって流すために駆動されるファンとを備える。
【０００９】
ビデオカメラの樹脂製の旋回支持部は、下側の半殻と共に、ケースの後部から透明パネルに向かう空気の流路のためのチャンネルを画定し、空気が実際にビデオカメラの本体の下側を通過するようにする。
【００１０】
この解決手段は、ある点に関しては機能するとしても、いくつかの欠点がある。
【００１１】
第１に、加熱手段は電子基板の付近に収容されているので、好ましくない態様での電子基板の加熱に寄与している。
【００１２】
第２には、パネルに向かう暖かい空気流は、空気流チャンネルの壁の一つである、ケースの下側の半殻の金属製の壁（良好な熱導体）との自然熱交換ために、熱の一部が散逸した後にパネルに到達する。
【００１３】
従って、特に、ケースの外側の温度が非常に低い場合（例えば、ケースが冬期の戸外に配置される場合が考えられる）、透明パネルは最適に加熱されず、透明パネルが曇るおそれや、監視シスム全体の対応する機能の低下のおそれがある。
【００１４】
次に、例えばＰｏＥ（パワー・オーバー・イーサーネット，規格ＩＥＥＥ ８０２．３ａｆ＿２００３）やＰｏＥ plus（規格ＩＥＥＥ ８０２．３ａｔ＿２００９）により、ビデオカメラのビデオデータや制御データを運ぶイーサーネットケーブルと同じケーブルから電力供給を受けるように、ケースが構成されている場合、すべての機器（ビデオカメラ、ファン、加熱要素）を駆動するために利用し得る電力は制限されるので、電力を過度に使用することでパネルの加熱を増加することは想像もできない。
【００１５】
最後に、他の欠点は、ビデオカメラの組立とケースへの組み付けが極めて困難であるという事実に関するものであり、ケースを配置し、旋回支持部、加熱要素、ビデオカメラの制御／指令の電子基板、１個以上のファン、及びビデオカメラ自体をケース内に組み込む必要がある。
【先行技術文献】
【特許文献】
【００１６】
【特許文献１】国際公開第2010/030558号
【発明の概要】
【発明が解決しようとする課題】
【００１７】
本発明の目的は、先行技術の欠点を解消することである。
【００１８】
特に、本発明の目的は、加熱要素の電力及び関連する電力消費の増加を必要とすることなく、透明パネルが最適に加熱される、監視ビデオカメラのケースを提供することである。
【課題を解決するための手段】
【００１９】
簡潔に述べると、本発明の基礎にある発想は、ケースの一部であって監視ビデオカメラの前部に配置された透明パネルに向けて空気流を導く、少なくとも一部が樹脂材料からなる周壁を画定する監視ビデオカメラの保持デバイスを収容する、監視ビデオカメラのケースを提供することにある。
【００２０】
つまり、空気は、例えば加熱要素である加熱手段に運ばれ、加熱手段は良好に隔離されるので、外部温度が低い場合であっても空気流の温度が低下せず、システムの総合性能にとって有利である。
【００２１】
さらにまた、前述の特徴の一つ又はそれらの組合によれば、加熱手段は、透明パネルに向かう空気流を対流により加熱するだけでなく、監視ビデオカメラの本体に直接接触するように配置された金属板をも伝導によって加熱し、必要があれば監視ビデオカメラの本体を暖かい状態で維持する。
【００２２】
つまり、加熱手段により生成された熱を最大限に使用し、損失を回避して前述の目的を達成する。
【００２３】
また、本発明の他の目的は、ケースに容易に搭載可能であり、それによって旧式のビデオ監視システムを容易にアップグレードできる、ビデオカメラの機能部品（例えば、電気基板、ファン、加熱要素等）の保持デバイスである。
【００２４】
一つの実施形態では、保持デバイスは、本体に対して異なる相対位置でビデオカメラを支持するための連結手段と、空気流生成手段と、空気流生成手段に対する給電及び／又は制御のための少なくとも１個の電気回路とを備える。保持デバイスの本体は、空気流生成手段のためのハウジングと、電気回路のためのハウジングとを備える。本体は、互いに接続可能な第１の部分と第２の部分とを備え、第１及び第２の部分はいったん連結されると、空気流のための伝送ダクトの少なくとも一部を画定するようになっている。伝送ダクトは、好適には樹脂材料である断熱材料からなる周壁により画定され、第１の端部と第２の端部との間に延びる。第１の端部は、空気流生成手段のためのハウジングで開口するが、第２の端部は、本体自体のハウジングとは反対側の本体の端部に臨む。
【００２５】
つまり、ケースの除曇の効果があり、同時に、単純で迅速なビデオカメラのケース内への組付を許容する、ビデオカメラ保持デバイスが提供される。これは、ビデオカメラ、機能部品、及び透明パネルに向けて温風を拡散するためのダクトにとって必要なすべてのハウジングを直ちに得るには、保持デバイスをケース内に挿入し、例えば、ねじ、あるいはより好適にはスナップ結合手段よって保持デバイスをケースに固定すれば十分であることによる。
【００２６】
また、本発明の特徴及び目的は、以下の説明によってより明確となる。
【００２７】
例示として示され、添付図面に限定されない非限定的な例を参照して本発明を説明する。図面は本発明の実施形態の異なる態様を示し、異なる図面の同様の構造、部品、材料、及び／又は要素には、該当する同様の参照番号を付している。
【図面の簡単な説明】
【００２８】
【図１】図１は本発明に係るケースの開放状態でビデオカメラが収容された状態を示す斜視図。
【図２】前述の図の正面図。
【図３】前述の図のケースの分解図。
【図４】前述の図のケースの詳細の分解図。
【発明を実施するための形態】
【００２９】
本発明は、種々の変形と代案を許容するものであるが、いくつかの好適な実施形態が図面に示されており、これらを以下で詳細に説明する。しかしながら、特定の実施形態に発明を限定することを意図するものではなく、本発明は、特許請求の範囲で規定されているような発明の範囲内にある、すべての変形、代案、及び均等物を含むことを意図している。
【００３０】
「例えば」、「等」、あるいは「又は」の使用は、別に規定しない限り、限定されない非限定的な代案を示す。「含む」の使用は、別に規定しない限り、「含むが、限定されない」ことを意味する。
【００３１】
添付図面を参照すると、これらの図面は、本発明に係る監視ビデオカメラ２のケース１を示す。
【００３２】
ケース１は、互いに接続可能で少なくとも１個の監視ビデオカメラ２を収容する体積を画定する第１の半殻２と第２の半殻４を備える。
【００３３】
図１の例では、２個の半殻３，４は、容易に接続及び接続解除できるように、互いにヒンジ接続されている。
【００３４】
２個の半殻は、好適には（必ずしも必要ではないが）、例えばアルミニウムである金属や適した合金からなり、特に、これらのうちの少なくとも一方（この例では上側の半殻３）は、監視ビデオカメラが監視される環境を調べることができるように、監視ビデオカメラのレンズの前方に配置されるようになっている透明パネル５を備える。
【００３５】
また、ケース１は空気流生成手段７を備え、この空気流生成手段７は、図示された例では、外部から空気を取り入れて反対側に吹き付ける電気ファンを備える。
【００３６】
ケース１は、ファン７により生成された空気流の温度を上昇させるための加熱手段６を備え、この例では、加熱手段６は、共通の支持基板（例えば、ＰＣＢ：印刷基板）上に配置された１個以上の加熱要素を備え、ファン７により伝送ダクト８に供給される空気と対流熱交換状態となるようになっており、透明パネル５を加熱し、それによって、ケース１の外部が低温であるときに、透明パネル５が曇るのを防止するために、空気流は最終的には透明パネル５に向けられている。
【００３７】
有利には、伝送ダクト８は少なくとも１個の断面（section）ないし通路（trunk）を備え、この通路は、透明パネルに向かう空気を断熱して温度の低下するように、完全に樹脂材料製の周壁で画定されている。
【００３８】
より詳細には、ケース１は監視ビデオカメラ２のための保持デバイス９を備え、この保持デバイス９は、この例では下側の半殻４である、２個の半殻のうちの一方に固定されている。
【００３９】
保持デバイス９は、伝送ダクト８の断面の樹脂材料製の周壁を画定する。
【００４０】
より詳細には、図４を参照すると、保持デバイス９は、箱状に互いに接続可能な第１の本体部９１と第２の本体部９２とを備える。
【００４１】
２個の本体部９１，９２が一体に互いに連結されると、この例では、監視ビデオカメラ２を制御する電子ユニット１０のための第１のハウジング９３が、概ね画定される。
【００４２】
監視ビデオカメラ２がＰｏＥシステム（前述した）で電力供給されるタイプの場合、この電子ユニットはビデオデータの処理と電力の取り扱いの両方を目的としており、電力は電子ユニットによってケース１の内部の他の装置（ビデオカメラ、ファン、加熱要素等）に供給される。
【００４３】
いずれにしても、このデータ取り扱い／電力システムは、それ自体知られており、さらなる言及はしない。
【００４４】
また、結合状態の２個の本体部９１，９２は、この例ではファンである空気流生成手段７のための第２のハウジング９４を画定する。
【００４５】
有利なことに、空気流生成手段７のためのハウジング９４は、電子ユニット１０のための第１のハウジング９３に近接しており、例えば好適な開口によって第１のハウジング９３に流体的に連通している。
【００４６】
つまり、電子ユニット１０で生成された熱をファンが生成する空気流によって透明パネル５に向けて運び、排出することができる。樹脂材料からなる周壁によって画定された伝送ダクト８の断面ないし通路は、２個の本体部９１，９２を（結合状態に）連結することで形成できる。
【００４７】
添付図面に示すように、保持デバイス９は、加熱手段６、すなわちこの例では加熱要素を支持する基板のための固定座部９５を備える。
【００４８】
このような座部は、有利には、伝送ダクト８の周壁の１個の付近の第１の本体部９１上に設けられる。
【００４９】
伝送ダクト８に関して留意すべきは、伝送ダクト８は、実質的に、ハウジング９４（第１の開口を有する）と透明パネル５の付近に配置された拡大開口８１との間に延びており、暖かい空気流を可能な限り透明パネル５に近接した位置に供給し、防曇効果と熱の損失の低減を最大化している。同様に留意すべきは、伝送ダクト８１の拡大開口８１は、透明パネル５上に均一に空気流を分配するために、伝送ダクト８１の内側に配置された拡散フラップ８２を備える。
【００５０】
同じ理由で、拡大開口８１の第１の本体部９１は、透明パネル５に対して傾いた拡散フラップ８３を備える。説明したばかりの特徴と組み合わせて、あるいはそれらとは独立に使用し得る有利な特徴としては、保持デバイス９は、監視ビデオカメラ２のための固定プレート９６を備える。
【００５１】
このような固定プレート９６は、有利には、監視ビデオカメラ２の位置決め手段１１と調整可能な方式で連結するための少なくとも１個の溝孔９７を備えており、この例では、位置決め手段１１は、ワッシャが付随する単純なねじであり、このねじによって、監視ビデオカメラ２の大きさや種類に応じ、ケース１に対して監視ビデオカメラ２を調節して固定できる。同じケース１が必要に応じて異なる種類のビデオカメラを収容できる点に留意すべきである。溝孔９７を有する固定プレート９６は、実際のところ、取り付け時に監視ビデオカメラが摺動である摺動部を構成する。
【００５２】
有利なことに、固定プレート９６は、例えばアルミニウムや特別な合金である金属材料から全体が構成された金属体を備え、この金属体は、空気流の加熱手段６に対して接触してあるはそれに対してごく近接して配置される。この配置により、加熱手段６と固定プレート９６との間で、効率的な熱交換（接触ないし熱伝導）が可能となる。従って、ケースの前方に配置された加熱手段６により生成された熱は、固定プレート９６の表面全体に伝わり、固定プレート９６は金属製で、良熱導体である。監視ビデオカメラ２は固定プレート９６上に固定されるので、この材料選択により、監視ビデオカメラ２を効率的に加熱できる。
【００５３】
下側の半殻４は破断可能なバッフル２０を有し、これらのバッフル２０はケース１が作動状態に配置されたときに開放して、外部とある程度の空気交換を可能とする。
【００５４】
本発明に係るケース１の作動と、関連する利点は、ここまでの説明から直ちに明白である。ケース１の外部の温度が低い場合、加熱手段６がターンオンされ、ファン７が作動する。ファン７は、ケースの内部体積と、電子ユニット１０のハウジングとから空気を取り出し、電子ユニット１０が効果的に冷却される。
【００５５】
電子ユニット１０の周囲から取り出された加熱された空気は、伝送ダクト８内に送られ、伝送ダクト８の壁は、例えば樹脂のような難熱伝導体である断熱材料からなるので、熱の損失が回避される。
【００５６】
従って、空気流は、ビデオカメラが固定されたプレートの下側に位置する伝送ダクト８の一部に配置された加熱要素６と接触し、空気流の温度が上昇する。好適には、空気流の温度は、加熱要素によって吸収される電力の調整と、例えば、ＰＴＣ（正温度係数）のもののようなサーミスタであるセンサ手段による温度制御とによって得られる所定値まで上昇する。
【００５７】
よって、この態様で加熱された空気流は、開口８１に到達し、フラップ８２，８３の効果で、水分蒸発による透明パネル５の除曇のために、開口８１から透明パネル５に均一に向けられる。
【００５８】
従って、空気は、ケースの体積中の経路を進み、ケースの後部に向かい、ファン７で再び回復しこのサイクルが繰り返される。同時に、監視ビデオカメラ２の温度は、固定プレート９６が加熱要素６との熱伝導によって加熱されることで、適切で好適な値に維持される。
【００５９】
当業者は、図４に図示されたアセンブリが、異なる種類の保護ケース１に使用し得る、監視ビデオカメラ２の保持デバイス２であることを認識できる。
【００６０】
このような装置は、本体に対して異なる相対位置でビデオカメラを支持するための連結機構と、空気流生成手段７と、空気流生成手段への電力供給及び／又は空気流生成手段の制御のための少なくとも１個の電気回路とを備える。
【００６１】
装置の本体は、空気流生成手段のためのハウジング９４と、電気回路のためのハウジングとを備える。本体部は、互いに接続可能であって、いったん連結されると、空気流のための伝送ダクト８の少なくとも１個の断面を画定する、第１の本体部９１と第２の本体部９２とを備える。ダクトは、好適には樹脂材料である断熱材料からなり、第１の端部と第２の端部との間に延びる周壁により画定され、第１の端部は空気生成手段７のためにハウジング９４で開口するが、第２の端部は、本体自体のハウジングとは反対側の本体の端部に臨む。
【００６２】
有利には、請求項９に係る保持デバイス９は、加熱手段６と、加熱手段６を固定するための座部９５を備える。このような座部９５は、伝送ダクト８の周壁の一部で第１の本体部９１に形成され、第２の端部の付近に配置され、伝送ダクト８からの出口付近の空気を加熱するようになっている。
【００６３】
保持デバイス９は、好ましくはビデオカメラ２の位置決め手段１１を受け入れるようになっている溝孔９７を備える金属製の固定プレート９６を備える。空気流生成手段７によって生成されて加熱手段を通過して流れた空気流が固定プレートと接触するように、固定プレートは、少なくとも部分的に加熱手段６の上方に搭載され、あるいは加熱手段６と接触している。
【００６４】
以上の説明から、ケースと、ケースに挿入された保持デバイスとが、前述した目的を達成できることを理解できる。従って、当業者は、断熱材料からなり空気を除曇が要求されるケースの透明パネルに運ぶダクトに接触するケースの前方に加熱手段を配置する、という発想を維持しつつ、上述のケースと、ケースの部品とに対して、多くの変更を加えることができる。
【符号の説明】
【００６５】
１  ケース
２  監視ビデオカメラ
３  第１の半殻
４  第２の半殻
５  透明パネル
６  加熱要素
７  空気流生成手段
８  伝送ダクト
９  保持デバイス
１０  電子ユニット
９１，９２  本体部
９３  第１のハウジング
９４  第２のハウジング
９５  固定座部
９６  固定プレート
９７  溝孔
８１  拡大開口
８２，８３  フラップ
１１  位置決め手段
２０  バッフル
【図１】
2015534118.tif 000003
【図２】
2015534118.tif 000004
【図３】
2015534118.tif 000005
【図４】
2015534118.tif 000006
【国際調査報告】
2015534118.tif 000007
2015534118.tif 000008
2015534118.tif 000009